(57)【特許請求の範囲】
【請求項１】
物干し竿に吊下げられる湾曲状をした吊下部が上部に設けられ、上記吊下部の斜め下側に上記物干し竿を通すための切欠部が形成されたフック本体と、
上記フック本体の上記切欠部よりも下側の位置に設けた軸に、その切欠部を塞ぐ状態と切欠部を開放する状態とにわたり揺動可能に支持された抜け防止部材と、
上記抜け防止部材を上記塞ぐ状態となるように押圧付勢するばねと、
上記抜け防止部材の内側に揺動自在に取付けられ、上記物干し竿を切欠部から上記吊下部の内側に入れた状態で、上記抜け防止部材が切欠部を塞ぐ状態に姿勢変化すると、揺動しつつ湾曲状吊下部の内側との間で上記物干し竿を挟持する揺動片とを具備し、
上記抜け防止部材は、上記切欠部を塞ぐ部分の内側に、上記湾曲状吊下部へ向けて突出した突出部を有し、その突出部に上記揺動片を揺動可能に支持する揺動軸が設けられ、その揺動軸に上記揺動片の中間部が支持されていることを特徴とするフック。
【請求項２】
請求項１に記載のフックにおいて、
上記揺動片は、その一端部が上記抜け防止部材の内面に当接する状態と、上記揺動片の他端部が上記抜け防止部材の内面に当接する状態とにわたり揺動可能になっており、その揺動可能な範囲において上記物干し竿の挟持に寄与する内側が上記抜け防止部材の外部に露出する構成となっていることを特徴とするフック。
【請求項３】
請求項１または２に記載のフックにおいて、
前記抜け防止部材が塞ぐ状態にあるときにおける前記湾曲状吊下部の内側と前記揺動片との間の距離が、吊下げ対象の物干し竿の最小直径とほぼ同一又はそれよりも少し大きい値に設定されていることを特徴とするフック。
【請求項４】
請求項１乃至３のいずれかに記載のフックにおいて、
前記揺動片の中間部が揺動軸を介して前記抜け防止部材に取付けられているとともに、揺動片の内側が前記物干し竿の外周の一部を囲む湾曲状に形成され、かつ揺動片内側の物干し竿と当接する面が凹凸状に形成されていることを特徴とするフック。
【請求項５】
請求項１乃至４のいずれかに記載のフックにおいて、
前記湾曲状をした吊下部の内側が、吊下げ対象の物干し竿の最大径に対応した曲率で形成されていることを特徴とするフック。
【請求項６】
請求項１乃至５のいずれかに記載のフックの下部に、衣類を掛止めするための衣類掛止め部が設けられることを特徴とするハンガー。
【発明の詳細な説明】
【技術分野】
【０００１】
本発明は、物干し竿に吊下げられる湾曲状をした吊下部が上部に設けられたフック及びそのフックの下部に衣類掛止め部が設けられたハンガーに関するものである。
【背景技術】
【０００２】
上記ハンガーとして、図１０に示すように、湾曲状をした吊下部１００に揺動自在に鈎形の押さえ部材１０１が取付けられ、吊下部１００を物干し竿１０２に吊下げるとき、物干し竿１０２により押さえ部材１０１の上側の突起１０１ａが上方に押され、押さえ部材１０１の下端部１０１ｂが物干し竿１０２の下側に突出して物干し竿１０２と当接する構成のものが知られている（特許文献１参照）。
【特許文献１】実開昭６３−８３１９５号公報
【発明の開示】
【発明が解決しようとする課題】
【０００３】
ところで、上述した特許文献１のハンガーによる場合には、押さえ部材１０１の下端部１０１ｂが物干し竿１０２の下側に突出して物干し竿１０２と当接するため、物干し竿１０２に対してハンガーがガタツキなく取付けられる。しかしながら、押さえ部材１０１が揺動自在であるため、風が強くて、ハンガーの下部に設けた衣類掛止部１０３に掛止めされた洗濯衣類が煽られ、ハンガーを上方に押上げる力が作用すると、押さえ部材１０１の下端部１０１ｂが物干し竿１０２の下側から引込んで物干し竿１０２から外れる虞があった。
【０００４】
また、このハンガーによる場合には、吊下部１００を、径が種々異なる物干し竿１０２に対して吊下げても押さえ部材１０１が同一の動きとなって物干し竿１０２への押さえ状態が異なるため、径が種々異なる物干し竿１０２に対して安定した吊下げ状態を得ることが困難であった。
【０００５】
本発明は、このような従来技術の課題を解決するためになされたもので、径が種々異なる物干し竿に対して安定した吊下げ状態を得ることができるともに、物干し竿に対してガタツキなく取付けでき、しかも風の影響により物干し竿から外れることがないフック及びハンガーを提供することを目的とする。
【課題を解決するための手段】
【０００６】
請求項１の発明に係るフックは、物干し竿に吊下げられる湾曲状をした吊下部が上部に設けられ、上記吊下部の斜め下側に上記物干し竿を通すための切欠部が形成されたフック本体と、上記フック本体の上記切欠部よりも下側の位置に設けた軸に、その切欠部を塞ぐ状態と切欠部を開放する状態とにわたり揺動可能に支持された抜け防止部材と、上記抜け防止部材を上記塞ぐ状態となるように押圧付勢するばねと、上記抜け防止部材の内側に揺動自在に取付けられ、上記物干し竿を切欠部から上記吊下部の内側に入れた状態で、上記抜け防止部材が切欠部を塞ぐ状態に姿勢変化すると、揺動しつつ湾曲状吊下部の内側との間で上記物干し竿を挟持する揺動片とを具備し、上記抜け防止部材は、上記切欠部を塞ぐ部分の内側に、上記湾曲状吊下部へ向けて突出した突出部を有し、その突出部に上記揺動片を揺動可能に支持する揺動軸が設けられ、その揺動軸に上記揺動片の中間部が支持されていることを特徴とする。
【０００７】
請求項２の発明に係るフックは、請求項１に記載のフックにおいて、上記揺動片は、その一端部が上記抜け防止部材の内面に当接する状態と、上記揺動片の他端部が上記抜け防止部材の内面に当接する状態とにわたり揺動可能になっており、その揺動可能な範囲において上記物干し竿の挟持に寄与する内側が上記抜け防止部材の外部に露出する構成となっていることを特徴とする。
【０００８】
請求項３の発明に係るフックは、請求項１または２に記載のフックにおいて、前記抜け防止部材が塞ぐ状態にあるときにおける前記湾曲状吊下部の内側と前記揺動片との間の距離が、吊下げ対象の物干し竿の最小直径とほぼ同一又はそれよりも少し大きい値に設定されていることを特徴とする。
【０００９】
請求項４の発明に係るフックは、請求項１乃至３のいずれかに記載のフックにおいて、前記揺動片の中間部が揺動軸を介して前記抜け防止部材に取付けられているとともに、揺動片の内側が前記物干し竿の外周の一部を囲む湾曲状に形成され、かつ揺動片内側の物干し竿と当接する面が凹凸状に形成されていることを特徴とする。
【００１０】
請求項５の発明に係るフックは、請求項１乃至４のいずれかに記載のフックにおいて、前記湾曲状をした吊下部の内側が、吊下げ対象の物干し竿の最大径に対応した曲率で形成されていることを特徴とする。
【００１１】
請求項６の発明に係るハンガーは、請求項１乃至５のいずれかに記載のフックの下部に、衣類を掛止めするための衣類掛止め部が設けられることを特徴とする。
【発明の効果】
【００１２】
本発明のフック及びハンガーによる場合には、抜け防止部材を把持し、ばねの押圧付勢力に抗して開放する状態にし、その状態で切欠部から物干し竿を通すことで、吊下部の内側に物干し竿が位置するようになる。そして、抜け防止部材から手を離すと、抜け防止部材がばねの押圧付勢力により切欠部を覆う状態に近づいていくとともに、揺動片が物干し竿の径に応じて揺動する状態で、揺動片の内側が湾曲状吊下部の内側との間で物干し竿を挟持することとなる。このため、上述のように抜け防止部材が塞ぐ状態に近づくことで切欠部が塞がれていき、かつその塞ぐ状態となるようにばねの押圧付勢力が作用しているので、風が強くて、フックの下部に支持される衣類掛止め部に掛止めされた洗濯衣類が煽られてフックに切欠部へ向いた力が働いても、切欠部からのフックの脱落が防止される。また、揺動片と湾曲状吊下部との間で物干し竿を挟持するので、径が種々異なる物干し竿に対して安定した吊下げ状態を得ることができるともに、風を受けてもガタツクことを防止することができる。
【００１３】
請求項３による場合には、抜け防止部材が切欠部を塞ぐ状態になっても、湾曲状吊下部の内側と揺動片との間で最小径の物干し竿を挟持することができ、ガタツキ防止を確保することができる。
【００１４】
請求項４の発明による場合には、揺動片内側の物干し竿と当接する面が少なくとも２つの凸部で物干し竿の外周と当接する。よって、凹凸状になっていないときは、物干し竿と１点で当接することになるが、この発明による場合には、当接数が増加して摩擦抵抗が大きくなるため、風を受けてもフックが物干し竿に対して回り難くすることができ、洗濯衣類が振れにより他物と接触して汚れるのを防止することができる。
【００１５】
請求項５の発明による場合には、最大径の物干し竿に対しても同様に脱落防止及びガタツキ防止が可能となる。この場合において、特に請求項３のようにすることで、最大径から最小径までの物干し竿に対する脱落防止及びガタツキ防止が可能となる。
【発明を実施するための最良の形態】
【００１６】
以下に本発明を具体的に説明する。
【００１７】
図１は本発明のハンガーの一例を示す正面図であり、図２はそのハンガーに備わったフックを示す正面図、図３はそのフックを示す縦断面図である。
【００１８】
このハンガー１は、物干し竿（図示せず）に吊下げられるフック２の下部に設けた支持部２ａに、洗濯した衣類を掛止めするための二点鎖線にて示す山形状をした衣類掛止め部３が支持された構成となっている。
【００１９】
上記フック２は、物干し竿（図示せず）を通すための切欠部１０を有するフック本体１１と、切欠部１０から物干し竿（図示せず）が抜けるのを防止するための抜け防止部材１２と、抜け防止部材１２を切欠部１０側へ押圧付勢するためのばね、図示例ではコイルばね１３とを備える。
【００２０】
フック本体１１は、上部に物干し竿に吊下げられる湾曲状をした吊下部１４を有し、吊下部１４の内側の曲率半径Ｒ（図２参照）は、吊下げ対象の物干し竿の最大径に対応した半径寸法、例えば１９ｍｍで形成されている。なお、図２中のＯは吊下部１４の内側の曲率中心である。
【００２１】
上記吊下部１４の斜め下側には、上記切欠部１０が形成されていて、切欠部１０よりも下側の位置に設けた軸１５に、抜け防止部材１２の途中部分が揺動可能に支持されている。
【００２２】
抜け防止部材１２は、軸１５に支持された中間部分１２ａで折れ曲がった概略「く」の字状に形成され、中間部分１２ａよりも下側部分がレバー操作部１２ｂとして機能し、中間部分１２ａよりも上側部分が切欠部１０を塞ぐ部分１２ｃとして機能するようになっている。
【００２３】
上記軸１５には、前記コイルばね１３の巻回部１３ａが挿入され、コイルばね１３の一端部１３ｂがフック本体１１に、コイルばね１３の他端部１３ｃが抜け防止部材１２にそれぞれ係止されている。よって、抜け防止部材１２はコイルばね１３により抜け防止部材１２の上記部分１２ｃが切欠部１０を塞ぐ方向に押圧付勢されており、抜け防止部材１２の上端１２ｄがフック本体１１の切欠部１０よりも上側のストッパ部１１ａに当接すると、抜け防止部材１２は切欠部１０を塞ぐ状態で停止する。一方、フック本体１１を握って上記レバー操作部１２ｂを、コイルばね１３の押圧付勢力に抗してフック本体１１に寄せると、抜け防止部材１２が図２に二点鎖線で示すように揺動して、切欠部１０を開放する状態になる。
【００２４】
上記切欠部１０を塞ぐ部分１２ｃの内側には、揺動軸１６が設けられ、その揺動軸１６には揺動片１７の中間部１７ａが支持されている。この揺動片１７は、図３に示すように一端部１７ｂが抜け防止部材１２の内面１２ｅに当接することにより、図４に実線で示す状態Ａと、図３に示すように他端部１７ｃが抜け防止部材１２の内面１２ｅに当接することにより、図４に二点鎖線で示す状態Ｂとにわたり揺動自在となっている。
【００２５】
また、この揺動片１７は、湾曲状吊下部１４の内側との間で物干し竿を挟持するように機能し、その挟持に寄与する内側は、物干し竿の外周の一部を囲むように湾曲状に形成され、かつ凹凸部１７ｄを有する表面状態に形成されている。また、図２に示すように、抜け防止部材１２の上端１２ｄがストッパ部１１ａに当接する状態で、湾曲状吊下部１４の内側と揺動片１７との距離Ｌは、吊下げ対象の物干し竿の最小直径（例えば２５ｍｍ）とほぼ同一又はそれよりも少し大きい値に設定されている。
【００２６】
このように構成されたハンガー１において、図５に示すように、フック本体１１を握って上記レバー操作部１２ｂをコイルばね１３の押圧付勢力に抗してフック本体１１側に寄せると、抜け防止部材１２が揺動して切欠部１０を開放する状態にする。その状態で、物干し竿２０を切欠部１０から吊下部１４の内側に入れ、レバー操作部１２ｂから指を離す。すると、抜け防止部材１２が切欠部１０を塞ぐ状態へと姿勢変化し、揺動片１７が揺動しつつ物干し竿２０を吊下部１４の内側との間で挟持する（図６参照）。
【００２７】
したがって、上述のように抜け防止部材１２が塞ぐ状態に近づくことで切欠部１０が塞がれていき、かつその塞ぐ状態となるようにコイルばね１３の押圧付勢力が作用しているので、風が強くて、衣類掛止め部３に掛止めされた洗濯衣類が煽られてハンガー１に切欠部１０へ向いた力が働いても、切欠部１０からハンガー１が脱落するのを防止できる。また、揺動片１７と湾曲状吊下部１４との間で物干し竿２０を挟持するので、風を受けてもハンガー１がガタツクことを防止することができる。
【００２８】
加えて、本実施形態において、揺動片１７の中間部１７ａが揺動軸１６を介して抜け防止部材１２に取付けられているとともに、揺動片１７の内側が物干し竿２０の外周の一部を囲む湾曲状に形成され、かつ揺動片１７内側の物干し竿２０と当接する面に凹凸部１７ｄが形成されているので、揺動片１７内側の少なくとも２つの凸部が物干し竿２０の外周と当接するため、凹凸部１７ｄを省略した場合よりも摩擦抵抗が大きくなり、風を受けてもハンガー１が物干し竿２０に対して回り難くすることができ、振れにより洗濯衣類が他物と接触して汚れるのを防止することができる。
【００２９】
また、本実施形態では、各種直径の物干し竿、例えば２５ｍｍ〜３８ｍｍの物干し竿を対象として、好適に吊下げを行い得るように、吊下部１４の内側の曲率半径Ｒを吊下げ対象の物干し竿の最大径に対応した半径寸法で形成し、かつ、吊下部１４の内側と揺動片１７との距離Ｌを吊下げ対象の物干し竿の最小直径とほぼ同一又はそれよりも少し大きい値に設定している。したがって、直径が２５ｍｍ〜３８ｍｍで種々異なる物干し竿２０に対して安定した吊下げ状態を得ることができるともに、風を受けてもハンガー１の脱落及びガタツキを防止した状態で吊下げることが可能である。このため、本実施形態のハンガー１は、直径が２５ｍｍ〜３８ｍｍの範囲内であれば、長さ方向で直径が一定の物干し竿に拘わらず、伸縮可能な物干し竿、つまり鞘竿とその内部への出入りが可能な芯竿とに対しても、同様に吊下げることが可能である。なお、図７に直径が２５ｍｍの芯竿２１にフック２を取付けた状態を示し、図８に直径が２９ｍｍの鞘竿２２にフック２を取付けた状態を示す。
【００３０】
なお、上述した実施形態ではフックの下部に支持される衣類掛止め部が山形をしたハンガーを例に挙げているが、本発明はこれに限らない。例えば、図９に示すように矩形枠３０の内側に複数本の掛け渡し部３１が設けられ、矩形枠３０の四隅と紐３２等で連結した吊り具３３を有する衣類掛止め部３Ａなどにも同様に適用することができる。この衣類掛止め部３Ａの場合は、フック２の支持部２ａに、吊り具３３の中央に設けた支持孔３３ａが支持される。
【図面の簡単な説明】
【００３１】
【図１】本発明の一実施形態に係るハンガー例を示す正面図である。
【図２】図１のハンガーに備わったフックを示す正面図である。
【図３】図２のフックを示す縦断面図である。
【図４】図２のフックの抜け防止部材を揺動して切欠部を開放する状態にした場合を示す正面図である。
【図５】図２のフックを物干し竿に吊下げる際の動作説明図である。
【図６】図２のフックを物干し竿に吊下げた状態の説明図である。
【図７】図２のフックを伸縮可能な物干し竿の芯竿に吊下げた状態の説明図である。
【図８】図２のフックを伸縮可能な物干し竿の鞘竿に吊下げた状態の説明図である。
【図９】本発明のハンガーに適用可能な他の衣類掛止め部を模式的に示す斜視図である。
【図１０】特許文献１のハンガーを示す正面図である。
【符号の説明】
【００３２】
１    ハンガー
２    フック
３、３Ａ    衣類掛止め部
１０    切欠部
１１    フック本体
１２    抜け防止部材
１３    コイルばね（ばね）
１４    吊下部
１５    軸
１６    揺動軸
１７    揺動片
１７ｄ    凹凸部
２０    物干し竿
２１    芯竿
２２    鞘竿
【図１】
0004704873.tif 000002
【図２】
0004704873.tif 000003
【図３】
0004704873.tif 000004
【図４】
0004704873.tif 000005
【図５】
0004704873.tif 000006
【図６】
0004704873.tif 000007
【図７】
0004704873.tif 000008
【図８】
0004704873.tif 000009
【図９】
0004704873.tif 000010
【図１０】
0004704873.tif 000011